【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
少なくとも５０キログラムの積荷を支える、回転成型された積荷運搬装置であって、少なくとも１０重量％のポリマーと、砂を含む少なくとも２５重量％の無機質充填材と、少なくとも約０．１重量％であるが約１０重量％未満の結合剤とを有する充填材入りプラスティック材料から実質的に製造されている、回転成型された積荷運搬装置。
【請求項２】
前記ポリマーはポリエチレンを含む、請求項１に記載の装置。
【請求項３】
前記ポリマーは高密度ポリエチレン（ＨＤＰＥ）を含む、請求項２に記載の装置。
【請求項４】
前記充填材入りプラスティック材料は少なくとも２５重量％のポリマーを含む、請求項１から３のいずれかに記載の装置。
【請求項５】
前記充填材入りプラスティック材料は、約３０重量％から約７０重量％のポリマーと、約７０重量％から約３０重量％の、砂を含む無機質充填材とを含む、請求項１から４のいずれかに記載の装置。
【請求項６】
前記充填材入りプラスティック材料は少なくとも約０．２５重量％の結合剤を含む、請求項１から５のいずれかに記載の装置。
【請求項７】
前記充填材入りプラスティック材料は約５重量％未満の結合剤を含む、請求項１から６のいずれかに記載の装置。
【請求項８】
前記結合剤は前記充填材と前もって混合されている、請求項１から７のいずれかに記載の装置。
【請求項９】
前記結合剤は内部潤滑剤を含む、請求項１から８のいずれかに記載の装置。
【請求項１０】
前記内部潤滑剤は脂肪酸アミドを含む、請求項９に記載の装置。
【請求項１１】
前記内部潤滑剤は、直鎖または分枝鎖Ｃ12−Ｃ24脂肪酸アミドを含む、請求項９または１０に記載の装置。
【請求項１２】
前記内部潤滑剤はステアルアミドを含む、請求項１１に記載の装置。
【請求項１３】
前記結合剤は外部潤滑剤をさらに含む、請求項９から１２のいずれか1項に記載の装置。
【請求項１４】
前記外部潤滑剤はステアリン酸塩を含む、請求項１３に記載の装置。
【請求項１５】
前記結合剤は２０重量％未満の内部潤滑剤を含む、請求項１３または１４に記載の装置。
【請求項１６】
前記結合剤は約１０重量％の内部潤滑剤を含む、請求項１３から１５のいずれか1項に記載の装置。
【請求項１７】
前記装置は実質的に一体に回転成型されている、請求項１から１６のいずれかに記載の装置。
【請求項１８】
前記装置はパレットを有している、請求項１から１７のいずれかに記載の装置。
【請求項１９】
前記パレットは、台と、前記台から垂れ下がる複数の脚とを含む、請求項１８に記載の装置。
【請求項２０】
前記パレットの脚は、前記台の下面上に一定間隔で配置されている、請求項１９に記載の装置。
【請求項２１】
前記脚は、持ち上げ装置が４方向のうちの任意の１方向から前記パレットに係合できるように配置されている、請求項１９または２０に記載の装置。
【請求項２２】
少なくとも１つの脚は、前記パレットの台のほぼ各隅に配置されている、請求項１９から２１のいずれか1項に記載の装置。
【請求項２３】
少なくとも１つの脚は、前記パレットの台のほぼ中心に配置されている、請求項１９から２２のいずれか1項に記載の装置。
【請求項２４】
少なくとも１つの脚は、前記パレットの台の各縁のほぼ中心に配置されている、請求項１９から２３のいずれかに記載の装置。
【請求項２５】
各脚は該脚の下面に凹部を有している、請求項１９から２４のいずれか1項に記載の装置。
【請求項２６】
前記パレットは上面と下面を持つ外皮層を有する、請求項１８から２５のいずれか1項に記載の装置。
【請求項２７】
前記パレットは、前記外皮層とは異なる組成を持つ内部層をさらに有する、請求項２６に記載の装置。
【請求項２８】
前記内部層は発泡剤を含む、請求項２７に記載の装置。
【請求項２９】
前記内部層は、砂を含む少なくとも４０重量％の無機質充填材を含む、請求項２７または２８に記載の装置。
【請求項３０】
前記外皮層は約５０重量％より多いポリマーを含む、請求項２７から２９のいずれか1項に記載の装置。
【請求項３１】
前記外皮層は約６０重量％のポリマーを含む、請求項２７から３０のいずれか1項に記載の装置。
【請求項３２】
前記内部層は重量で前記外側層より多い量の充填材を含む、請求項２７から３１のいずれか1項に記載の装置。
【請求項３３】
前記充填材入りプラスティック材料が顔料をさらに含む、請求項１から３２のいずれかに記載の装置。
【請求項３４】
前記装置は、遠隔読取り可能なＩＤタグを組み込んでいる、請求項１から３３のいずれかに記載の装置。
【請求項３５】
前記遠隔読取り可能なＩＤタグはＲＦＩＤタグである、請求項３４に記載の装置。
【請求項３６】
前記ＩＤタグは前記装置の表面に成型されている、請求項３４または３５に記載の装置。
【請求項３７】
前記装置はフライトコンテナである、請求項１から１６のいずれか1項に記載の装置。
【請求項３８】
上部パレット要素と、下部パレット要素とを有し、各パレット要素は、台と、複数のパレット脚とを有し、各パレット脚は係合部分を有しており、
裏返しの構成では、前記上部パレット要素の係合部分は、前記下部パレット要素の対応する係合部分と連結するように配置され、
前記両パレット要素が実質的に同じ向きである積み重ねられた構成では、少なくとも一方のパレット要素は、他方のパレット要素の上部に積み重ねられたときに、入れ子構造を形成し、
前記両パレット要素は、無機質充填材で充填されたプラスティック材料から回転成型されている、
パレット。
【請求項３９】
上面および下面を持つ台と、前記台の下面から垂れ下がる複数の脚とを有し、
単一のパレット要素が、フォークリフト車によって持ち上げることができるのに十分な高さの脚を有する片面パレットをもたらし、
第１の前記パレット要素は、第２の前記パレット要素に連結して、単一のパレット要素の高さの２倍よりも低い全高を有する両面パレットをもたらすように配置されている、
パレット要素。
【請求項４０】
各パレット要素が、台と、前記台から垂れ下がる複数の脚とを有している２つのパレット要素を使用して両面パレットを組立てる方法であって、
第１のパレット要素を該パレット要素の平面内の軸を中心として回転させることと、
前記両パレット要素の脚が前記両パレット要素の台の間に位置し、かつ前記両パレット要素の脚が互いに連結するように第２のパレット要素を前記第１のパレット要素上に配置することと、
前記第２のパレット要素を前記第１のパレット要素に連結することと、
を有する方法。
【請求項４１】
充填材入りプラスティック材料を含んだ原料を金型に挿入することと、
前記金型を回転、加熱して複数のパレットを回転成型することと、
前記金型から前記複数のパレットを取り外して前記成型された複数のパレットを単一のパレットに分離することと、
を有する、複数のパレットを製造する方法。
【請求項４２】
入れ子構造の複数のパレットの層をコンテナ内に配置することと、前記コンテナを所定の目的地へ出荷することと、前記コンテナから前記複数のパレットを移動させることと、を有するパレットを配布する方法。
【請求項４３】
ポリマーと、充填材と、結合剤とを含む充填材入りプラスティック材料から約５０キログラムより大きな積荷を保管しまたは輸送する装置を回転成型することを含む、該装置を製造する方法。
【請求項４４】
充填材入りプラスティック材料から製品を回転成型する方法であって、
前記製品の所要形状の少なくとも一部分に対応する空洞を形成する、前記製品用の金型を用意すること、
ポリマーと少なくとも１０重量％の無機質充填材とを含む第１の組成を持つ第１の原料を前記金型へ挿入することと、
前記金型を加熱することと、
前記金型を少なくとも２つの軸を中心として回転および／または揺動させて、前記金型の内部壁の表面を前記第１の原料の層で覆うことと、
前記金型を冷却することと、
前記金型から前記製品を取り外すことと、
を含む方法。
【請求項４５】
ポリマーと、少なくとも１０重量％の無機質充填材と、ステアリン酸塩を含む結合剤と、
を有する充填材入りプラスティック材料。
【請求項４６】
少なくとも５０キログラムの積荷を運搬する積荷運搬装置を、充填材入りプラスティック材料から回転成型する装置であって、
前記製品の所要形状の少なくとも１つの部分に対応する空洞を定める金型と、
ポリマーと少なくとも１０重量％の無機質充填材とを含む充填材入りプラスティック材料を含む第１の原料を受け取る手段と、
加熱手段と、
冷却手段と、
前記金型を少なくとも２つの軸を中心として回転および／または揺動させる手段と、
を有する装置。
【請求項４７】
脂肪酸アミドを有し、無機質充填材とポリマーの連結および分散を促進する結合剤。
【請求項４８】
少なくとも１０重量％のＨＤＰＥと、
砂を含む少なくとも１０重量％の充填材と、
脂肪酸アミドを含む結合剤と、
を含み、
異なる組成を持つ内部層と外側層とを有する、
回転成型された積荷運搬装置。
【請求項４９】
実質的に充填材入りプラスティック材料から製造され、
約１０００ｍｍより長く約１５００ｍｍ未満の長さと、
約３０ｋｇ未満の質量と、
約１０００ｋｇより大きな最大積載搬送能力と、
を持つ回転成型パレット。
【請求項５０】
台と、該台に垂れ下がる複数のパレット脚とを有し、実質的に充填材入りプラスティック材料から製造され、
約１２０７ｍｍから１２１１ｍｍの間の長さと、
約１００６ｍｍから１０１０ｍｍの間の幅と、
を持つパレット。
【請求項５１】
製品の外部形状に対応する内部形状と、シリカをベースとする材料を含んだ内部表面とを持つツール台を有し、製品を、プラスティックをベースとする材料から回転成型する成型ツール。
【請求項５２】
プラスティックをベースとする組成物から回転成型製品を製造する製造プラントであって、
組成物保管場所と、
組成物を配布手段に積荷する組成物積荷領域と、
前記組成物を前記製造プラント内の成型領域に配布し、各成型領域が複数の成型装置を有する配布手段と、
を有する製造プラント。
【手続補正２】
【補正対象書類名】明細書
【補正対象項目名】００８７
【補正方法】変更
【補正の内容】
【００８７】
本発明によれば、少なくとも５０キログラムの積荷を運搬する、回転成型された積荷運搬装置であって、少なくとも１０重量％のポリマーと、砂を含む少なくとも２５重量％の無機質充填材と、少なくとも約０．１重量％であるが約１０重量％未満の結合剤とを有する充填材入りプラスティック材料から実質的に製造されている積荷運搬装置が提供される。